【手続補正書】
【提出日】平成16年6月2日(2004.6.2)
【手続補正１】
【補正対象書類名】特許請求の範囲
【補正対象項目名】全文
【補正方法】変更
【補正の内容】
【特許請求の範囲】
【請求項１】
外部共振器レーザ装置であって、
第１および第２出力面を有し、前記第１出力面からビームを光路に沿って放射する活性領域を有するゲイン媒体と、
前記光路中に位置し、前記第２出力面と共に外部共振器を画定する反射器と、
前記光路中に位置するグリッド・エタロンと
前記グリッド・エタロンに動作可能に接続され、前記外部共振器レーザの運転中に、第１通信グリッドから第２通信グリッドまで前記グリッド・エタロンを調節するグリッド・エタロン同調器と
を備え、
前記第１通信グリッドおよび前記第２通信グリッドのそれぞれが、前記グリッド・エタロンの自由スペクトル領域に応じて離間している複数の伝送帯を画定する、
装置。
【請求項２】
前記グリッド・エタロン同調器が、回転により前記光路中においてグリッド・エタロンを調節する、請求項１に記載の装置。
【請求項３】
前記光路中に位置するチャネル・セレクタと、
前記チャネル・セレクタに動作可能に接続され、前記複数の伝送帯のうちの１つの伝送帯に前記チャネル・セレクタを同調させるチャネル・セレクタ同調器と
を更に備える、請求項１に記載の装置。
【請求項４】
前記外部共振器に動作可能に接続され、前記外部共振器の光路長を調節する外部共振器光路長同調器を更に備える、請求項１に記載の装置。
【請求項５】
同調可能でコヒーレントな光出力を生成する方法であって、
第１および第２出力面および活性領域を有する外部共振器レーザを提供し、
光路に沿って、前記第１出力面の活性領域からコヒーレントなビームを放射し、
エンドミラーが前記光学通路中に位置し、
前記エンドミラーおよび前記第２出力面が外部共振器を画定し、
グリッド・エタロンの前記光路に関する位置決めをし、
前記外部共振器レーザの運転中に、第１の選択可能な通信グリッドから第２の選択可能な通信グリッドへ前記グリッド・エタロンを変化させ、
前記第１および第２の選択可能な通信グリッドのそれぞれが、前記グリッド・エタロンの自由スペクトル領域に応じて離間した複数の波長通過帯域を画定する、
方法。
【請求項６】
前記光路に関して位置するチャネル・セレクタを同調するステップを更に備え、
前記チャネル・セレクタが同調可能な透過ピークを生成し、
前記同調可能な透過ピークと前記複数の波長通過帯域のうちの１つの波長通過帯域とのアライメントを取ることによって、前記透過ピークを経由してチャネル選択を行う、
請求項５に記載の方法。
【請求項７】
前記変化させるステップが、前記グリッド・エタロンを回転して調節する、請求項５に記載の方法。
【請求項８】
前記外部共振器の光路長を調節するステップを更に備える、請求項５に記載の方法。
【請求項９】
前記グリッド・エタロンが、電圧に依存する屈折率を有する電気光学材料から製作され、
前記グリッド・ジェネレータ同調器が、前記グリッド・エタロンの前記屈折率を変更することにより、グリッド・ジェネレータの同調を行うべく、前記グリッド・エタロンに選択可能な電圧を供給するために制御可能である、
請求項１に記載の装置。
【請求項１０】
前記グリッド・エタロン同調器を制御するために、前記グリッド・エタロン同調器に動作可能なように接続されるコントローラを更に備える、請求項１に記載の装置。
【請求項１１】
装置であって、
活性領域を有し、第１および第２出力面を有し、前記第１出力面の前記活性領域から光路に沿ってコヒーレントなビームを放射するゲイン媒体と、
前記ゲイン媒体の前記第１出力面と相対して配置され、第２出力面とともに外部レーザ共振器を画定するエンドミラーと、
前記光路中に位置するグリッド・ジェネレータと、
前記装置の運転中に、第１通信グリッドから第２通信グリッドまで前記グリッド・ジェネレータを調節するために前記グリッド・ジェネレータに動作可能に接続されたグリッド・ジェネレータ同調器と
を備え、
前記第１通信グリッドおよび前記第２通信グリッドのそれぞれが、それぞれの選択可能な通信グリッドによって画定されるチャネル間隔に応じて一定の波長間隔を有する複数の波長通過帯域を画定し、
前記第１通信グリッドから前記第２通信グリッドまで前記グリッド・ジェネレータを調節するべく前記グリッド・ジェネレータ同調器に信号を供給するために、前記グリッド・ジェネレータ同調器に接続されるコントローラを備える、
装置。
【請求項１２】
前記グリッド・ジェネレータがグリッド・エタロンを備え、
前記グリッド・ジェネレータ同調器が、前記グリッド・ジェネレータを回転させることにより前記グリッド・ジェネレータを同調する、請求項１１に記載の装置。
【請求項１３】
前記ゲイン媒体および前記コントローラに接続される駆動電流源を更に備え、
前記駆動電流源が、前記ゲイン媒体に供給される電流レベルを選択的に制御する、
請求項１１に記載の装置。
【請求項１４】
前記ゲイン媒体と前記コントローラに接続される電圧センサを更に備え、
前記電圧センサが、前記ゲイン媒体の両端の電位差に対応して、前記コントローラに電圧フィードバック信号を供給する、
請求項１３に記載の装置。
【請求項１５】
前記コントローラに動作可能なように接続されるチャネル・セレクタを更に備え、
前記チャネル・セレクタが、複数の波長通過帯域のうちの１つの波長通過帯域と、前記チャネル・セレクタによって生成される透過ピークとのアライメントを取る、
請求項１１に記載の装置。
【請求項１６】
前記チャネル・セレクタがウェッジ・エタロンである、請求項１５に記載の装置。
【請求項１７】
前記ウェッジ・エタロンが、前記光路中において前記ウェッジ・エタロンの位置を調節することによって同調される、請求項１６に記載の装置。
【請求項１８】
前記エンドミラーと前記コントローラに接続される外部共振器同調器を更に備え、
前記外部共振器同調器が、前記エンドミラーと前記ゲイン媒体との間の光路長を調節するために前記エンドミラーの位置を決める、
請求項１１に記載の装置。
【請求項１９】
前記外部共振器同調器が、往復型アクチュエーターデバイスを含む、請求項１８に記載の装置。
【請求項２０】
前記外部共振器同調器が、熱により同調可能な補償器部材を含む、請求項１９に記載の装置。
【請求項２１】
前記レーザの同調のためのフィードバック信号を生成するために検知可能である前記レーザの出力特性に変調を生じさせるディザ部材を更に備える、請求項１１に記載の装置。
【手続補正２】
【補正対象書類名】明細書
【補正対象項目名】００１９
【補正方法】変更
【補正の内容】
【００１９】
図面をより詳細に参照して、説明の目的のために、本発明は図１〜図７に示される装置および方法によって実施される。本願明細書に開示されている基礎概念から逸脱する事無く、本装置が構成に関して、および部分の詳細について変化し得、本方法が、その詳細および動作の順序について変化し得ると言う事は言うまでもない。本発明は、外部共振器レーザと共に使用される例によって主に開示される。しかしながら、本発明が多くの種類のレーザ装置および光学系と共に使用されてもよい。本発明の範囲は添付の特許請求の範囲によってのみ限定されるので、本願明細書に使用される用語は、特定の実施形態について記載するためだけに使用されており、制限する事を意図していないと言う事が更に理解されるべきである。
【手続補正３】
【補正対象書類名】明細書
【補正対象項目名】００４９
【補正方法】変更
【補正の内容】
【００４９】
ある実施形態において、周波数ディザの形を取る信号の変調が、エンドミラー１４に接続されるか、さもなければレーザ装置５２の外部共振器に関連するディザ部材（図示されず）によって、外部共振器レーザ装置５２へ導入される。信号の変調は、例えば、約２０ｋＨｚの周波数変調を含んで良く、エンドミラー１４に適切に接続された圧電、電気光学、または音響光学デバイスによって生成されて良い。この方式によるレーザ外部共振器の光路長の変調によって、外部共振器からのゲイン媒体１２へ光学のフィードバックにより電圧センサ６０によって検知し得る外部共振器レーザ装置５２の出力パワーにおける強度変化が生成される。これらの強度変化は、ウェッジ・エタロン３６およびグリッド・エタロン２４によって画定された通過帯域の中心波長における外部共振器モードのアラインメントに応じて、その振幅およびフェーズエラーが異なるであろう。換言すれば、変調信号における強度変化および移相によって、外部共振器の損失を評価し、かつ外部共振器光路長の調節用の対応する誤差信号を生成するための有効な方法が提供される。従って、コントローラ３０は、周波数ディザによって導入された変調から誤差信号を導出し、コントローラ３０に補償信号を伝え、これに対応して、外部共振器同調器６２に命令を出し、エンドミラー１４の位置を決めることによって外部共振器が調節されるようにする。誤差信号の決定および外部共振器の調節に関して変調信号の強度変化およびフェーズエラーを使用することもまた、発明者ダイバー等による「ゲイン媒体の両端の電圧によるレーザ損失の評価および調節」という名称の米国特許出願番号第０９／９９０４２６号によって開示され、参照によって本願に援用される。